(57)【要約】【課題】特段の操作をすることなく、マネーケースが引き出しに収容されていないことを視認することできるキャッシュドロアを提供する。【解決手段】キャッシュドロアのアンロック機構は、キャッシュドロアの引き出しにマネーケースを収容していない状態の時、引き出しを奥まで閉めると、引き出しの奥に設けられたロック機構のロックが掛かる前に、互いに当接する回動スペーサーとストッパーとを備え、ロック機構によるロックを回避する。【選択図】図３
2015121859.tif 000002
【特許請求の範囲】
【請求項１】
マネーケースを収容する引き出しと、
前記引き出しの中に前記マネーケースが収容された状態では、前記引き出しを閉めてロックが掛かるロック機構を有し、
前記引き出しの中に前記マネーケースが収容されていない状態では、前記引き出しの前記ロック機構によるロックを回避するアンロック機構を有することを特徴とするキャッシュドロア。
【請求項２】
前記アンロック機構は、前記引き出しの奥側に設けられた回動スペーサーを含むと共に、キャッシュドロア本体ケースの固定部に設けられたストッパーを含むことを特徴とする請求項１記載のキャッシュドロア。
【請求項３】
前記ロック機構は前記引き出しの奥側に設けられた請求項１または２記載のキャッシュドロア。
【請求項４】
前記ロック機構は、前記引き出しの奥側に設けられたストップシャフトと、前記ストップシャフトと対向する位置に、前記固定部に設けられた、前記ストップシャフトと係合して前記引き出しをロックするフックレバーと、前記フックレバーによる前記引き出しのロックを解除するオープンレバーを有することを特徴とする請求項１乃至３のいずれか１項に記載のキャッシュドロア。
【請求項５】
前記アンロック機構は、前記引き出しの中にマネーケースが収容された状態では、前記引き出しの奥に位置する前記固定部に設けたストッパーと前記アンロック機構の前記回動スペーサーが当接せずに、前記引き出しにロックを掛けることができ、前記引き出しの中に前記マネーケースが収容されていない状態では、前記固定部に設けたストッパーと前記回動スペーサーが当接して、前記引き出しにロックを掛けることができず、前記引き出しがアンロック状態に保たれることを特徴する請求項２に記載のキャッシュドロア。
【請求項６】
前記回動スペーサーは、回動軸を中心に回動し、前記引き出しの中にマネーケースが収容された状態では、前記引き出しの奥に位置する前記固定部に設けたストッパーと当接しない位置まで回動し、前記引き出しの中にマネーケースが収容されていない状態では、前記引き出しの奥に位置する前記固定部に設けたストッパーと当接する位置まで回動することを特徴とする請求項５に記載のキャッシュドロア。
【発明の詳細な説明】
【技術分野】
【０００１】
本発明は、キャッシュドロアに関する。
【背景技術】
【０００２】
キャッシュドロア（以下、ドロアと省略することもある）は、キャッシュレジスタやＰＯＳ装置に組み込まれて使用されている。キャッシュドロアの引き出し部には、着脱自在にマネーケースが収容されている。マネーケースの収容方法としては、種々の提案がなされている。その中で例えば、特許文献１は、マネーケースとこれに機械的に係合させた着脱可能なコインケースを有するドロアの引き出しにおいて、コインケースを着脱不能にロックするロック機構と、コインケースの強制離脱実行宣言を行う実行宣言手段と、ドロアの開放状態においてかつ強制離脱実行離脱宣言がされていることを条件としてロック機構のロック状態を解除（アンロック）するロック解除手段とを備えた商品販売登録データ処理装置を開示している。
【０００３】
特許文献１の商品販売登録データ処理装置は、マネーケースに機械的に係合されたコインケースが、ドロアの開放状態においてかつ強制離脱実行宣言がされていることを条件としてマネーケースとコインケースのロック状態が解除される。ロック状態が解除されると、コインケースはマネーケースから取外すことができる状態になる。この状態で、顧客から受け取った代金が最高額紙幣（１万円札）の場合には、このコインケース下部に設けた第２の紙幣収容部に収めることができるように構成されている。
【先行技術文献】
【特許文献】
【０００４】
【特許文献１】特開平６−１９５５６２
【発明の概要】
【発明が解決しようとする課題】
【０００５】
ところで、一般的なキャッシュドロアの構造では、引き出しの中にマネーケースを収容しているか否かに係らず、引き出しを閉じた場合に、ロックを掛けることができた。そのため、マネーケースが収容されているかどうかは、一旦、何らかの操作を行って引き出しを開けて確認しなければならなかったため、確認作業が煩雑になっていた。
【０００６】
上記のような事情から、始業前にマネーケースを引き出しの中に収容することを忘れる場合もあり、また、キャッシュドロアの引き出しを閉じたまま、終業後にキャッシュドロア内の金銭の回収を忘れてしまうこともあった。
【０００７】
そこで、本発明は、上記した問題を解決するものである。具体的には、本発明の目的は、特段の操作をすることなく、マネーケースが引き出しに収容されていないことを視認することができるキャッシュドロアを提供することである。
【課題を解決するための手段】
【０００８】
本発明によれば、マネーケースを収容する引き出しと、前記引き出しの中に前記マネーケースが収容された状態では、前記引き出しを閉めてロックが掛かるロック機構を有し、前記引き出しの中に前記マネーケースが収容されていない状態では、前記引き出しの前記ロック機構によるロックを回避するアンロック機構を備えたキャッシュドロアが得られる。
【発明の効果】
【０００９】
本発明では、マネーケースをキャッシュドロアの引き出しの中に収容しない限り、キャッシュドロアの引き出しが閉まらない仕組みになっており、引き出しがロックできないようになっている。このため、特段の操作をすることなく、引き出しの中にマネーケースが収容されていないことをキャッシャーや店舗従業員が視認することができる。
【図面の簡単な説明】
【００１０】
【図１】通常のキャッシュドロアの引き出しにマネーケースが収容されていない場合の構成及び動作を説明する図である。（ａ）は、キャッシュドロアの引き出しがロックされる前の状態を示す断面の側面図であり、（ｂ）は、キャッシュドロア本体ケースの上部を除いてキャッシュドロアのロック機構を拡大して示す斜視図である。（ｃ）は、キャッシュドロアの引き出しがロックされた状態を示す断面の側面図であり、（ｄ）は、キャッシュドロア本体ケースの上部を除いて（ｃ）の状態におけるロック機構を拡大して示す斜視図である。
【図２】図１に示されたキャッシュドロアの引き出しにマネーケースを収容した場合の動作を説明する図である。（ａ）は、キャッシュドロアの引き出しがロックされる前の状態を示す断面の側面図であり、（ｂ）は、キャッシュドロア本体ケースの上部を除いて（ａ）の状態におけるロック機構を説明する斜視図である。（ｃ）は、図２（ａ）に示されたキャッシュドロアの引き出しがロックされた状態を示す断面の側面図であり、（ｄ）は、キャッシュドロア本体ケースの上部を除いて（ｃ）の状態におけるロック機構を拡大して示す斜視図である。
【図３】本発明の一実施形態に係るキャッシュドロアの引き出しにマネーケースが収容されていない場合の構成を示す図である。（ａ）は、キャッシュドロアの引き出しがロックされる位置まで移動する前の状態を示す断面の側面図であり、（ｂ）は、キャッシュドロア本体ケースの上部を除いて（ａ）の状態におけるキャッシュドロアのロック機構を拡大して示す図である。（ｃ）は、キャッシュドロアの引き出しがロックされていない状態を示す断面の側面図であり、（ｄ）は、キャッシュドロア本体ケースの上部を除いて（ｃ）の状態におけるロック機構を拡大して示す斜視図である。キャッシュドロアの側面図と斜視図を示す。
【図４】本発明の一実施形態に係るキャッシュドロアの引き出しにマネーケースが収容された場合における構成及び動作を説明する図である。（ａ）は、キャッシュドロアの引き出しのロック直前の状態を示す断面の側面図であり、（ｂ）は、キャッシュドロア本体ケースの上部を除いてロック機構の状態を拡大して示す斜視図である。（ｃ）は、キャッシュドロアの引き出しがロックされた状態を示す断面の側面図であり、（ｄ）は、キャッシュドロア本体ケースの上部を除いて（ｃ）の状態におけるロック機構の状態を拡大して示す斜視図である。
【図５】本発明のアンロック機構を詳細に説明する図である。（ａ）及び（ｂ）はアンロック機構の回動スペーサーを分解して説明する斜視図であり、（ｃ）及び（ｄ）は回動スペーサーの動作を詳細に示す側面図である。
【発明を実施するための形態】
【００１１】
本発明の理解を容易にするために、まず、通常用いられているキャッシュドロアを説明する。
【００１２】
図１及び図２に示す通常のキャッシュドロア１０１は、キャッシュドロア本体ケース１０１−１に引き出し１０２を収容できる構造を有すると共に、引き出し１０２を収容するキャッシュドロア本体ケース１０１−１の奥に設けられた固定部９を備えている。引き出し１０２を閉める場合には、図１のＡ方向へ引き出し１０２を、引き出し１０２を収容するキャッシュドロア本体ケース１０１−１の奥側に設けられた固定部９まで移動させる。この時、引き出し側面フレーム部１０４が、キャッシュドロア本体ケース１０１−１によってガイドされる。これによって、引き出し１０２を閉めてロックすることができる。なお、図１及び図２には、キャッシュドロア１０１の本発明に関連する部分のみ図示している。
【００１３】
なお、図１及び図２の違いは、引き出し１０２にマネーケース３を収容していない場合（図１）と収容した場合（図２）を示す図であって、それ以外に使用されている部品は同じであるので、図１を用いて以下、従来の通常用いられているキャッシュドロアの構成を説明する。図１（ａ）、（ｂ）は、引き出し１０２を閉める前段階のキャッシュドロアを示しており、図１（ｃ）、（ｄ）は、引き出し１０２を閉じた後のキャッシュドロアを示している。図１（ｂ）に示す通り、引き出し１０２の奥側には、引き出しのＡ方向に対して垂直の方向に、引き出し奥側フレーム部１０５が立設している。また、引き出し奥側フレーム部１０５の裏側の表面部１０６には、固定されたストップシャフト８とストップシャフト８から離れた位置にストッパー当接部１１が設けられている。図１（ｂ）に例示している形態では、ストップシャフト８は、引き出し奥側フレーム部１０５の表面部１０６の中央寄りに設けられており、また、ストッパー当接部１１は、引き出し１０２の手前側の引き出し奥側フレーム部１０５の表面部１０６の下方に設けられている。つまり、引き出し奥側フレーム１０５、ストップシャフト８、ストッパー当接部１１は、引き出し１０２の一部を構成しており、これらの部品は、引き出し１０２の動きに伴って、引き出し１０２と一緒にキャッシュドロア１０１内で移動できるようになっている。
【００１４】
一方、固定部９は、当該ストップシャフト８と対向する位置に、フックレバー１２とオープンレバー１５とを備えたステージ２４を有している。ステージ２４は、キャッシュドロア本体ケース１０１−１の奥側に固着されている。また、ストッパー当接面１１と対向する位置にストッパー１０がキャッシュドロア本体ケース１０１−１の奥側に固着されている。即ち、固定部９は、フックレバー１２とオープンレバー１５とを備えたステージ２４及びストッパー１０によって形成されており、当該固定部９は引き出し１０２を収容するキャッシュドロア本体ケース１０１−１の奥側に設けられている。
【００１５】
さらに、フックレバー１２とオープンレバー１５とストップシャフト８によってロック機構７が構成されている。フックレバー１２は、二つの端部を有しており、一方の端部にフックレバーの爪１４を有している。フックレバーの爪１４は、引き出し１０２の動きのＡ方向に対して直角であるＢ方向に図示しない付勢手段で付勢されているオープンレバー１５に係合していて、フックレバー１２の動きが拘束されている。もう一方のフックレバー１２の端部には、ストップシャフト８と係合するための鉤状部１３が備えられている。さらに、フックレバー１２は、フックレバー回動軸１２−１によって軸支されており、時計回りのＸ方向に図示しない付勢手段で付勢され、Ｘ方向とその逆方向に回動できるように構成されている。
【００１６】
次に、通常のキャッシュドロアのロック機構について、図１を用いて説明をする。通常のキャッシュドロアの引き出し１０２は、図示しない付勢手段（例えばコイルバネ）により、Ａ方向とは逆向きの開く方向に対して付勢されている。図１（ｃ）に示すように、引き出し１０２をＡ方向に付勢力に抗して奥まで閉めた時に、引き出し１０２のストッパー当接面１１はストッパー１０と当接し、引き出し１０２は、ストッパー当接面１１とストッパー１０とが当接した位置で停止するように構成されている。
【００１７】
また、図１（ｄ）に示すように、フックレバー１２にストップシャフト８が接触すると、オープンレバー１５がＢ方向とは反対側に移動して、オープンレバー１５とフックレバーの爪１４との係合が解除され、同時にフックレバー１２が回動軸を中心にＸ方向に対して反時計回りに回動しながら、ストップシャフト８と鉤状部１３が係合してロックが掛かるように構成されている。さらに、ストップシャフト８と鉤状部１３が係合されると同時に、フックレバーの爪１４とは異なる位置に設けられたフックレバー切欠き部１６にオープンレバー１５が収まる。このため、フックレバー切欠き部１６とオープンレバー１５が互いに当接し、フックレバー１２の回動が規制される。
【００１８】
なお、通常のキャッシュドロアは、図２に例示するマネーケース３が収容された場合においても、図１に例示するキャッシュドロア１０１と同じ動作によってロックされる。つまり、通常のキャッシュドロア１０１は、引き出し１０２にマネーケース３が収容されているか否かに係らず、引き出し１０２を奥まで閉めればロックが掛かるように構成されている。
【００１９】
次に、図３〜５を参照して、本発明の一実施形態に係るキャッシュドロアを説明する。図３、図４及び図５に示された本発明の一実施形態に係るキャッシュドロア１は、図１及び図２に示したキャッシュドロア１０１の構成に加えて、追加の部品を設けた構成を有している。即ち、本発明に係るマネーケース３を引き出し２に収容しない状態では、引き出し２を閉めようとしてもキャッシュドロア１はアンロック状態２７(図３（ｄ）参照)となり、ロックが掛かることが回避される。なお、図３及び図４には、キャッシュドロア１の本発明に関連する部分のみ図示している。
【００２０】
本発明のキャッシュドロア１の引き出し２にマネーケース３が収容されていない状態において、キャッシュドロア１のアンロック機構を実現するために、キャッシュドロアに付随している引き出し２の奥側に後述する回動スペーサー１７を有するアンロック機構がさらに設けられている。これによって、図３に例示するようなマネーケース３を収容してない場合において、引き出し２を閉めようとしてもロックが掛からないアンロック状態２７となり、ロックが掛かることを回避することができるようになっている。
【００２１】
図３（ａ）〜（ｄ）は、引き出し２にマネーケース３が収容されてない状態を示す。図１及び図２で説明したキャッシュドロア１０１と同様に引き出し２は、図示しない付勢手段（例えばコイルバネ）により、Ａ方向とは逆向きの開く方向に対して付勢されており、引き出し２を閉める場合には、引き出し２を付勢力に抗してＡ方向へ押す。また、Ａ方向とは逆向きに引き出し２を開くことができる。また、引き出し２は、引き出し側面フレーム部４がキャッシュドロア本体ケース１−１にガイドされ、開閉することができる。更に、引き出し２の奥側には、引き出しのＡ方向に対して垂直の方向に、引き出し奥側フレーム部５が立設している。
【００２２】
また、引き出し奥側フレーム部５の裏側の表面部６には、固定されたストップシャフト８とストップシャフト８から離れた引き出し２の手前側の奥側フレームの表面部６の下方に、ストッパー当接部１１が設けられている。さらに、ストッパー当接部１１の前面側（即ち、固定部９側）に回動スペーサー１７が設けられている。
【００２３】
図５（ｂ）には、回動スペーサー１７の拡大図を示している。回動スペーサー１７は、３つの部分で構成されている。即ち、回動スペーサー１７の頂部には、回動スペーサーフラップ部２０、回動スペーサー１７の両側面には凸状ピンを有する回動スペーサー回動軸１８、さらには、下方の位置に回動スペーサーブロック部１９が備えられている。回動スペーサーブロック部１９は、回動スペーサー１７の中で一番重量のある部分である。このため、回動スペーサー１７に力を与えない限り、回動スペーサーブロック部１９は、図５（ｃ）に示すように、重力によって垂下された状態になる。
【００２４】
図５（ａ）に示された引き出し奥側フレーム部５は、切欠き部２８を有している。この切欠き部２８の両側には、奥側フレーム部に固着された２つのブラケット２２が設けられている。当該切欠き部２８を通して、回動スペーサー１７の頂部が引き出しの前方に突出できる。また、前述したブラケット２２の中心に円形開口部２３が設けられている。円形開口部２３には、回動スペーサー１７の回動スペーサー回動軸１８が軸支されている。引き出し奥側フレーム部５の２つのブラケット２２間には、回動スペーサーフラップ部２０のための切り欠き部２８が設けられている。この構成により、回動スペーサーフラップ部２０の上部に回動スペーサー回動軸１８を中心にＺ方向への力が加わると、回動スペーサーブロック部１９は、回動スペーサー回動軸１８を中心にＹ方向へ回動できるようになっている。
【００２５】
ここで、図３（ｃ）をも参照すると、マネーケース３が引き出し２に収容されてない状態では、回動スペーサーフラップ部２０側のみ、引き出し奥側フレーム部５を跨ぐようにマネーケース３を収容する側へ突出している。一方、回動スペーサーフラップ部２０の下端２１は、マネーケース３収容側へ斜め下方を向くように傾斜している。つまり、本発明の一実施形態に係るキャッシュドロア１の引き出し２は、引き出し奥側フレーム５、ストップシャフト８、ストッパー当接部１１、及び回動スペーサー１７を含んでいる。これらの部品は、引き出し２の動きに伴って、引き出し２と一緒にキャッシュドロア本体ケース１−１内で移動できるようになっている。
【００２６】
一方、固定部９は、ストップシャフト８に対向する位置に、フックレバー１２とオープンレバー１５とを備えたステージ２４を有している。ステージ２４は、キャッシュドロア本体ケース１−１の奥側に固着されている。また、回動スペーサーブロック部１９と対向する位置にストッパー１０がキャッシュドロア本体ケース１−１奥側に固着されている。つまり、フックレバー１２とオープンレバーとを備えたステージ２４及びストッパー１０によって固定部９を形成しており、キャッシュドロア本体ケース１−１の奥側に設けられている。
【００２７】
次に、本発明のキャッシュドロアのアンロック機構について、図３を用いて説明をする。本発明のキャッシュドロアの引き出し２は、通常のキャッシュドロアと同じく、図示しない付勢手段（例えばコイルバネ）により、Ａ方向とは逆向きの開く方向に対して付勢されている。また、図３（ａ）においては、マネーケース３が引き出し２に収容されてない状態で引き出し２を閉める前段階を表し、図３（ａ）のようにマネーケース３が引き出し２に収容されてない状態では、回動ストッパーブロック部１９とストッパー１０は対向する位置関係になっている。
【００２８】
図３（ｃ）は、引き出し２をＡ方向に閉めて、回動ストッパーブロック部１９とストッパー１０が互いに当接し合う位置で停止した状態を表している。図３（ｄ）は、回動スペーサーブロック部１９とストッパー１０が互いに当接し合う位置で引き出し２が停止した場合、ストップシャフト８と鉤状部１３が係合しない状況を表している。つまり、マネーケース３が引き出し２へ収容されてない状態では、引き出し２をＡ方向へ閉じてもストップシャフト８と鉤状部１３が係合する前に、回動スペーサー１７の回動スペーサーブロック部１９とストッパー１０の当接によって引き出し２が停止するようになっているので、引き出し２にロックを掛けることができなくなり、アンロック状態２７（図３（ｄ）参照）となり、ロックが掛かることを回避することができるようになる。
【００２９】
一方、マネーケース３を引き出し２に収容した状態では、図４（ａ）、（ｂ）に示す通り、マネーケース３が回動スペーサーフラップ部２０をＺ方向へ押しだす。これによって、回動スペーサーブロック部１９は、回動スペーサー回動軸１８を中心にＹ方向(図５（ｄ）参照)へ回動する。
【００３０】
また、図５（ｄ）に例示している通り、図示していないマネーケース３が引き出し２に収容されている状態では、回動スペーサーフラップ部２０がマネーケース３によって反時計方向に回動して、回動スペーサーフラップ部の下端２１がキャッシュドロア１の底部に対して真下を向く位置で停止する。
【００３１】
この状態において回動スペーサーフラップ部２０と引き出し奥側フレーム５とは、位置関係が平行になる。
【００３２】
更に、図４（ａ）に示す通り、マネーケース３が引き出し２へ収容された状態では、回動スペーサーブロック部１９は、ストッパー１０の上方の離れた空間に位置している。つまり、引き出し２をＡ方向へ閉じると、回動スペーサーのブロック部１９とストッパー１０とが当接しないので、図４（ｃ）に示す通り、ストッパー１０が、引き出し奥側フレーム５のストッパー当接面１１と当接する位置まで引き出し２を閉めることができる。この状態においては、上述した通常のキャッシュドロア１０１について説明したと同様な動作を行うことによりキャッシュドロア１のロックの状態２６（ロックが掛かった状態）を保つことができる。
【００３３】
なお、本発明のキャッシュドロア１の引き出し２を開くときは、図示していないＰＯＳ端末装置の制御部が、図示していないソレノイドを動作させることによって、オープンレバー１５がＢ方向の向きとは逆方向に移動し、オープンレバー１５とフックレバーの爪１４との係合が解除されて引き出しが開く方向に動き始め、フックレバー鉤状部１３とストップシャフト８との係合が解除される。
【００３４】
以上説明した本発明の一実施形態に係るキャッシュドロアは、閉店後の店舗において、キャッシュドロアの引き出しにマネーケースが収容されていない場合は、特段の操作をすることなく、これを外部から視認することができる。このため、防犯上も有効である。
【００３５】
以上、実施形態を参照して本発明を説明したが、本発明は実施形態に限定されるものではない。本発明の構成や詳細は、本発明の範囲内で当業者が理解し得る様々な変更をすることができる。
【産業上の利用可能性】
【００３６】
本発明は、ＰＯＳ端末装置に付随して据えつけられているキャッシュドロアやキャッシュドロア単体に適用できる。
【符号の説明】
【００３７】
１、１０１      キャッシュドロア
１−１、１０１−１      キャッシュドロア本体ケース
２、１０２      引き出し
３      マネーケース
４、１０４      引き出し側面フレーム部
５、１０５      引き出し奥側フレーム部
６、１０６      表面部
７      ロック機構
８      ストップシャフト
９      固定部
１０    ストッパー
１１    ストッパー当接面
１２    フックレバー
１２−１      フックレバー回動軸
１３    鉤状部
１４    フックレバーの爪
１５    オープンレバー
１６    フックレバー切欠き部
１７    回動スペーサー
１８    回動スペーサー回動軸
１９    回動スペーサーブロック部
２０    回動スペーサーフラップ部
２１    回動スペーサーフラップ部の下端
２２    ブラケット
２３    円形開口部
２４    ステージ
２５    マネーケース下端
２６    ロック状態
２７    アンロック状態
２８    切欠き部
Ｘ      Ｘ方向
Ｙ      Ｙ方向
Ｚ      Ｚ方向
Ａ      Ａ方向（引き出しを閉める方向）
Ｂ      オープンレバーが付勢されている方向
【図１】
2015121859.tif 000003
【図２】
2015121859.tif 000004
【図３】
2015121859.tif 000005
【図４】
2015121859.tif 000006
【図５】
2015121859.tif 000007